(57)【要約】【課題】気配情報の数値表示では、注文値段、注文数等は判断できるが、一目で注文数の大小等を判断するのは難しいという課題がある。本発明は、一目で注文数の大小等を判断することのできる株価情報表示装置を提供する。【解決手段】株価情報表示装置を、気配情報を表示する表示部と、気配情報を記憶する記憶部と、制御部とを備え、制御部は、所定の時間間隔単位で、該所定の時間間隔中に発生した気配情報の数値データを銘柄毎に作成する気配データ作成部と、該作成した気配情報の数値データに基づいて、前記所定の時間間隔単位でグラフ表示データを作成するグラフデータ作成部と、前記気配データ作成部で作成した気配情報の数値データと前記グラフデータ作成部で作成した気配情報のグラフ表示データとに基づいて、気配情報の数値データとグラフ表示データとを同時に前記表示部に表示する表示制御部とを備えるように構成する。【選択図】図１
2011215987.tif 000002
【特許請求の範囲】
【請求項１】
気配情報を表示する表示部と、気配情報を記憶する記憶部と、制御部とを備えた株価情報表示装置であって、
前記制御部は、所定の時間間隔単位で、該所定の時間間隔中に発生した気配情報の数値データを銘柄毎に作成する気配データ作成部と、該気配データ作成部で作成した気配情報の数値データに基づいて、前記所定の時間間隔単位でグラフ表示データを作成するグラフデータ作成部と、前記気配データ作成部で作成した気配情報の数値データと前記グラフデータ作成部で作成した気配情報のグラフ表示データとに基づいて、気配情報の数値データとグラフ表示データとを同時に前記表示部に表示するための表示制御を行う表示制御部とを備えることを特徴とする株価情報表示装置。
【発明の詳細な説明】
【技術分野】
【０００１】
本発明は、株価情報表示端末など、証券会社等に設置され株価を表示する株価情報表示装置に関し、特に、売り注文や買い注文の内容を表す売り気配情報や買い気配情報、あるいは約定値を表示することのできる株価情報表示装置に関する。
【背景技術】
【０００２】
株式の注文内容を表す気配情報は、（１）売り注文や買い注文の区分（売り気配や買い気配という）、（２）売り買いしたい株式銘柄を表す証券コード、（３）売り注文や買い注文の価格、（４）注文数の合計、（５）同一の価格について、何件の注文が入っているかを示す注文件数から構成されている。気配情報は、売買の契約が成立していない注文段階の情報である。気配情報は、東京や大阪などの各証券取引所から、証券会社等に設置される株価情報表示装置等へ送信されてくるが、証券取引所単位で同時刻に、売り気配／買い気配がそれぞれ複数本発生することも多い。
【０００３】
従来は、複数本の売り気配／買い気配情報は、例えば、図８のように、数値により表示することが多かったが、一見して、どの値段に注文が多く発生しているのかを判断することは容易ではなかった。図８の例では、時刻が１５：１０（１５時１０分）における注文値段が、中央最上段の１３７８から最下段の１３５９まで、降順に表示され、注文値段の左には売り注文の数量、右には買い注文の数量が表示されている。例えば、最上段の注文値段が１３７８の場合は、売り注文の数量が２７００であり、最下段の注文値段が１３５９の場合は、買い注文の数量が２００である。また、売り注文の数量が最大なのは、注文値段が１３７４の場合の９１００であり、買い注文の数量が最大なのは、注文値段が１３６０の場合の２２８００である。
【発明の概要】
【発明が解決しようとする課題】
【０００４】
従来の図８のような表示でも、注文値段、注文状況、注文数は判断できるが、取引の参考にするため、一目で注文数の大小等を判断するのは難しいという課題がある。
本発明は、このような従来の課題を解決するために為されたもので、一目で注文数の大小等を判断することのできる株価情報表示装置を提供することを目的とする。
【課題を解決するための手段】
【０００５】
本発明の代表的な構成は、次のとおりである。すなわち、
気配情報を表示する表示部と、気配情報を記憶する記憶部と、制御部とを備えた株価情報表示装置であって、
前記制御部は、所定の時間間隔単位で、該所定の時間間隔中に発生した気配情報の数値データを銘柄毎に作成する気配データ作成部と、該気配データ作成部で作成した気配情報の数値データに基づいて、前記所定の時間間隔単位でグラフ表示データを作成するグラフデータ作成部と、前記気配データ作成部で作成した気配情報の数値データと前記グラフデータ作成部で作成した気配情報のグラフ表示データとに基づいて、気配情報の数値データとグラフ表示データとを同時に前記表示部に表示するための表示制御を行う表示制御部とを備えることを特徴とする株価情報表示装置。
【発明の効果】
【０００６】
このような構成によれば、気配情報の数値データとグラフ表示データとを同時に表示部に表示することにより、一目で注文数の大小を判断することが可能となり、取引の参考にすることが容易となる。
【０００７】
なお、前記株価情報表示装置がさらに操作入力部を備え、該操作入力部への操作に基づいて、前記所定の時間間隔単位で、順次、前記気配情報の数値データとグラフ表示データとを同時に表示することもできる。
このようにすると、刻々と発生する注文の動き（売り／買い注文の傾向）を、一目で直感的に判断することができる。
【０００８】
また、前記所定の時間間隔を、該操作入力部への操作に基づいて、設定することもできる。
このようにすると、利用者（操作者）の要望に応じた時間間隔が設定でき、株価情報表示装置の使い勝手が向上する。
【０００９】
また、前記株価情報表示装置が、前記気配データ作成部で作成した気配情報の数値データと、前記グラフデータ作成部で作成したグラフ表示データとを記憶する記憶部を備え、前記表示制御部が、前記記憶部に記憶した気配情報の数値データとグラフ表示データとを同時に前記表示部に表示することもできる。
このようにすると、前記所定の時間間隔単位で、順次、前記気配情報の数値データとグラフ表示データとを同時に表示することが容易となる。
【００１０】
また、前記株価情報表示装置が、気配情報を含む各種株価情報を装置外部から取り込むデータ受信部と、データ受信部で取り込んだ気配情報を時系列に記憶する時系列データ記憶部とを備え、前記気配データ作成部が、時系列データ記憶部に記憶した気配情報の時系列データの中から、操作者により設定された所定の時間間隔単位で、気配情報の数値データを銘柄毎に作成することもできる。
このようにすると、利用者（操作者）の要望に応じて前記所定の時間間隔を変更することが容易となり、株価情報表示装置の使い勝手が向上する。
【図面の簡単な説明】
【００１１】
【図１】本発明の実施例における株価情報表示装置の構成例を示す図である。
【図２】本発明の実施例における気配データ記憶部の構成例を示す図である。
【図３】本発明の実施例における約定データ記憶部の構成例を示す図である。
【図４】本発明の実施例における気配表示画面の構成例を示す図である。
【図５】本発明の実施例における気配表示画面において、表示データの発生時刻を移動させた場合を示す図である。
【図６】本発明の実施例における気配表示画面において、表示データの発生時刻を移動させた場合を示す図である。
【図７】本発明の実施例における約定値と最良気配値の動きを表示する図である。
【図８】従来技術における気配表示画面を示す図である。
【発明を実施するための形態】
【００１２】
本発明の実施形態の一例である株価情報表示装置について、図１を参照しながら説明する。図１は、本発明の実施例に係る株価情報表示装置の構成例を示す図である。図１において、株価情報表示装置は、制御部１０と、表示部２と、操作入力部３と、データ受信部４と、記憶部２０とを備える。操作入力部３は、キーボード、又はタッチパネル、又はマウス、又はスライダーなどから構成され、操作者からの各種入力を受け付けるものである。表示部２は、液晶画面等から構成され、操作入力部３から入力される文字等を表示し、また、制御部１０で生成された気配情報等を表示するものである。データ受信部４は、例えば、各証券取引所から送出された気配情報等の各種株価情報を、本株価情報表示装置に取り込むものである。
【００１３】
制御部１０は、例えば、気配情報の数値データとグラフ表示データとを同時に表示部２に表示するよう制御するものであり、データ取込部１１、表示制御部１２、気配データ作成部１３、約定データ作成部１４、グラフデータ作成部１５を備える。制御部１０は、ハードウエア構成としては、ＣＰＵ（Central  Processing  Unit）と制御部１０の動作プログラム等を格納するメモリを備えており、ＣＰＵは、この動作プログラムに従って動作する。
【００１４】
データ取込部１１は、データ受信部４で取り込んだ各種株価情報の中から気配情報や約定情報を取り出し、時系列に、後述する時系列データ記憶部２１に記憶させるものである。
気配データ作成部１３は、本例では、時系列データ記憶部２１に記憶させた気配情報の時系列データの中から、操作入力部３から操作者により入力され設定された所定の時間間隔単位で、該時間間隔中に発生した気配情報の数値データを銘柄毎に作成し、後述する気配データ記憶部２２に記憶させるものである。この時間間隔単位は、例えば、１分間に設定される。
【００１５】
約定データ作成部１４は、本例では、時系列データ記憶部２１に記憶させた約定情報や気配情報の時系列データの中から、操作入力部３から操作者により入力され設定された所定の時間間隔単位で、該時間間隔中に発生した約定情報や最良気配情報の数値データを銘柄毎に作成し、後述する約定データ記憶部２３に記憶させるものである。この時間間隔単位は、例えば、１分間に設定される。ここで、最良気配情報とは、最も高値の買い気配情報、あるいは最も安値の売り気配情報のことである。
【００１６】
グラフデータ作成部１５は、気配データ作成部１３で作成した気配情報の数値データに基づいて、あるいは／および、約定データ作成部１４で作成した約定情報や最良気配情報の数値データに基づいて、前記所定の時間間隔単位でグラフ表示データを作成するもので、本例では、気配データ記憶部２２に記憶させた気配情報の数値データに基づいて、あるいは／および、約定データ記憶部２３に記憶させた約定情報や最良気配情報の数値データに基づいて、前記所定の時間間隔単位でグラフ表示データを作成するものである。なお、グラフデータ作成部１５は、作成したグラフ表示データを、記憶部２０に記憶させることもできる。
【００１７】
表示制御部１２は、気配データ作成部１３で作成した気配情報の数値データや、約定データ作成部１４で作成した約定情報や最良気配情報の数値データや、グラフデータ作成部１５で作成した気配情報、約定情報、最良気配情報のグラフ表示データに基づいて、気配情報や約定情報等の、数値データやグラフ表示データを表示部２に表示するための表示制御を行うものである。
【００１８】
記憶部２０は、時系列データ記憶部２１、気配データ記憶部２２、約定データ記憶部２３を備える。時系列データ記憶部２１は、データ受信部４で取り込んだ気配情報や約定情報等の各種株価情報を、時系列に記憶するものである。例えば、データ受信部４で取り込んだ各種株価情報には、（１）どの株式銘柄かを表す証券コード、（２）気配（注文）発生時刻や約定成立時刻、（３）売り気配、買い気配、約定等の区分、（３）売り注文、買い注文、約定の価格、（４）売り注文、買い注文、約定の数、が含まれる。時系列データ記憶部２１は、これらの情報を、銘柄単位で、気配発生時刻や約定成立時刻の古いものから順に、時系列データ記憶部２１に記憶するものである。
【００１９】
気配データ記憶部２２は、本例では、時系列データ記憶部２１に記憶された気配情報等の時系列データの中から、操作入力部３から操作者により入力され設定された所定の時間間隔単位で、該時間間隔中に発生した気配情報の数値データを銘柄毎に記憶するものである。この時間間隔単位は、例えば、１分間に設定されている。気配データ記憶部２２に記憶される数値データは、例えば、（１）どの株式銘柄かを表す証券コード、（２）前記時間間隔単位を示す時刻、（３）売り気配の注文価格、注文数、（４）買い気配の注文価格、注文数である。
図２に、気配データ記憶部２２の構成例を示す。図２は、本発明の実施例における気配データ記憶部２２の構成例を示す図である。図２に示すように、ある特定の銘柄（不図示）について、ある時間間隔単位を示す時刻である１５：１０（１５時１０分）における、売り気配の注文価格や注文数と、買い気配の注文価格や注文数が記憶されている。図２の例では、所定の時間間隔単位が１分間である場合は、１５：０９から１５：１０までの１分間における、売り気配の注文価格や注文数と、買い気配の注文価格や注文数が記憶されることになる。この所定の時間間隔単位は、操作入力部３から操作者が任意に設定することができる。
【００２０】
約定データ記憶部２３は、本例では、時系列データ記憶部２１に記憶された気配情報等の時系列データの中から、操作入力部３から操作者により入力され設定された所定の時間間隔単位で、該時間間隔単位で発生した約定情報や最良気配情報の数値データを銘柄毎に記憶するものである。この時間間隔単位は、例えば、１分間に設定されている。約定データ記憶部２３に記憶される数値データは、例えば、（１）どの株式銘柄かを表す証券コード、（２）前記時間間隔単位を示す時刻、（３）約定価格、（４）売り気配と買い気配の最良気配値である。
図３に、約定データ記憶部２３の構成例を示す。図３は、本発明の実施例における約定データ記憶部２３の構成例を示す図である。図３に示すように、ある特定の銘柄（不図示）について、９：０２（９時２分）から９：０６までの時刻における、約定価格（約定値）と、買い気配の最良気配値と、売り気配の最良気配値とが記憶されている。このように、所定の時間間隔単位が１分間である場合は、９：０２の欄には、９：０１から９：０２までの１分間における、約定価格と、買い気配の最良気配値と、売り気配の最良気配値とが記憶されることになる。この所定の時間間隔単位は、操作入力部３から操作者が任意に設定することができる。
【００２１】
次に、本発明の実施例における気配表示画面を、図４を用いて説明する。図４は、本発明の実施例における気配表示画面の構成例を示す図である。図４の例においては、図８と同様に、時刻が１５：１０（１５時１０分）における注文値段が、中央最上段の１３７８から最下段の１３５９まで、降順に表示され、注文値段の左には売り注文の数量、右には買い注文の数量が表示されている。例えば、最上段の注文値段が１３７８の場合は、売り注文の数量が２７００であり、最下段の注文値段が１３５９の場合は、買い注文の数量が２００である。
しかし、図８と異なり、売り注文の数量や買い注文の数量が、棒グラフにより、各売り数量や買い数量の欄に対応して表示されている。図４の例では、売り数量や買い数量の最大値が、グラフ表示枠（範囲）の中で最大となるようフルスケールで表示されるようにしている。このように、グラフ表示するので、注文数量の大小の区別を容易に判断することができる。また、売り数量や買い数量の最大値を基準として、売り数量や買い数量の最大値が、グラフ表示枠の中で最大となるよう表示するので、注文数量の大小の区別をより容易に判断することができる。もちろん、棒グラフに限らず、折れ線グラフ等の他のグラフ表示を用いることもできる。
図４の例では、売り注文の数量が最大である注文値段が１３７４の場合や、買い注文の数量が最大である注文値段が１３６０の場合を、その大きさとともに、容易に認識できることが分かる。このように、気配情報を数値とともにグラフ表示することにより、発生する注文の動き（売り／買い注文の傾向）を、一目で直感的に判断することができる。
【００２２】
図４の例に示す気配表示画面は、時系列データ記憶部２１に記憶させた気配情報の時系列データの中から、気配データ作成部１３が、操作者により設定された所定の時間間隔単位で、該時間間隔中に発生した気配情報の数値データを銘柄毎に作成し、気配データ記憶部２２に記憶させ、該記憶させた気配情報の数値データに基づいて、グラフデータ作成部１５が、グラフ表示データを作成し、該グラフ表示データと前記記憶させた気配情報の数値データとを、表示制御部１２が表示するものである。
【００２３】
次に、図４に示すような気配表示画面を、スライダー等の操作入力手段により操作者が操作して、所定の時間間隔単位で、例えば１分間隔単位で表示する例を、図５を用いて説明する。図５は、本発明の実施例における気配表示画面の構成例を示す図である。図５の例においては、時刻が１４：３０における注文値段が、中央最上段の１３７８から最下段の１３５９まで、降順に表示され、注文値段の左には売り注文の数量、右には買い注文の数量が表示されている。同時に、売り注文の数量や買い注文の数量が、棒グラフにより、各売り数量や買い数量の欄に対応して表示されている。したがって、例えば、売り注文の数量（売数量）が最大なのは、注文値段が１３７３の場合であって、そのときの売数量が７００００であること、買い注文の数量（買数量）が最大なのは、注文値段が１３５９の場合であって、そのときの買数量が２８３００であることが、一目で分かるようになっている。
また、図５の例においては、気配表示画面の下部に、操作入力手段であるスライダー５１を備えている。操作者がスライダー５１を右方向に移動させると、図５で表示されている時刻（１４：３０）よりも先の時刻（新しい時刻）における気配表示画面を、所定の時間間隔単位で、例えば１分間隔単位で表示することができる。また、操作者がスライダー５１を左方向に移動させると、図５で表示されている時刻（１４：３０）よりも後の時刻（古い時刻）における気配表示画面を、所定の時間間隔単位で表示することができる。この所定の時間間隔単位は、操作入力部３から操作者が任意に設定することができる。
なお、気配表示画面を所定の時間間隔単位で表示するために用いる操作入力手段は、スライダーに限られず、キーボード等を用いても構わない。
【００２４】
図５の例に示す気配表示画面は、時系列データ記憶部２１に記憶させた気配情報の時系列データの中から、気配データ作成部１３が、操作者により設定された所定の時間間隔単位で、該時間間隔中に発生した気配情報の数値データを銘柄毎に作成し、気配データ記憶部２２に記憶させ、該記憶させた気配情報の数値データに基づいて、グラフデータ作成部１５が、グラフ表示データを作成し、該グラフ表示データと前記記憶させた気配情報の数値データとを、操作入力部３から操作されるスライダー５１の動きに応じて、表示制御部１２が表示するものである。
【００２５】
図６は、図５の気配表示画面において、操作者がスライダー５１を右方向に移動させた場合の気配表示画面を示す図である。図６の例においては、時刻が１５：３０における注文値段が、図５と同様に、中央最上段の１３７８から最下段の１３５９まで、降順に表示され、注文値段の左には売り注文の数量、右には買い注文の数量が表示されている。同時に、売り注文の数量や買い注文の数量が、棒グラフにより、各売り数量や買い数量の欄に対応して表示されている。したがって、例えば、売り注文の数量（売数量）が最大なのは、注文値段が１３７１の場合であって、そのときの売数量が９２０００であること、買い注文の数量（買数量）が最大なのは、注文値段が１３５９の場合であって、そのときの買数量が２８３００であることが、一目で分かるようになっている。
このように、所定の時間間隔単位、例えば、１分間単位で、過去から現在までの気配情報を、順次見ることができ、刻々と発生する注文の動き（売り／買い注文の傾向）を、容易に直感的に判断することができる。
【００２６】
次に、約定値と最良気配値の動きを表示する表示画面について、図７を用いて説明する。図７は、本発明の実施例における約定値と最良気配値の動きを表示する図である。図７の例においては、９：０２（９時２分）から９：０６までの時刻における、約定価格（約定値）と、買い気配の最良気配値と、売り気配の最良気配値とが、それぞれ、折れ線グラフで表示されている。△印は約定値、●印は買い気配の最良気配値（買い最良気配値）、■印は売り気配の最良気配値（売り最良気配値）である。例えば、９：０２から９：０６までの時刻において、1分毎に、約定値は、１３６５、１３６９、１３７０、１３６５、１３６５と推移し、買い最良気配値は、１３６５、１３６６、１３６５、１３６４、１３６７と推移し、売り最良気配値は、１３７０、１３６９、１３６９、１３６５、１３７０と推移していることが分かる。
このように、所定の時間間隔単位、例えば、１分間単位で、最良気配値と約定価格の動きを比較しつつ見ることができ、注文の発生傾向と約定の傾向を把握することができる。
【００２７】
図７の例に示す約定表示画面は、時系列データ記憶部２１に記憶させた約定情報や気配情報の時系列データの中から、約定データ作成部１４が、操作者により設定された所定の時間間隔単位で、該時間間隔中に発生した約定情報や最良気配情報の数値データを銘柄毎に作成し、約定データ記憶部２３に記憶させ、該記憶させた約定情報や最良気配情報の数値データに基づいて、グラフデータ作成部１５が、グラフ表示データを作成し、該グラフ表示データを、表示制御部１２が表示するものである。
【００２８】
なお、本発明は、本発明に係る処理を実行する装置としてだけでなく、システム、方法として、或いは、このような方法や装置を実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【符号の説明】
【００２９】
２・・表示部、３・・操作入力部、４・・データ受信部、１０・・制御部、１１・・データ取込部、１２・・表示制御部、１３・・気配データ作成部、１４・・約定データ作成部、１５・・グラフデータ作成部、２０・・記憶部、２１・・時系列データ記憶部、２２・・気配データ記憶部、２３・・約定データ記憶部。
【図１】
2011215987.tif 000003
【図２】
2011215987.tif 000004
【図３】
2011215987.tif 000005
【図４】
2011215987.tif 000006
【図５】
2011215987.tif 000007
【図６】
2011215987.tif 000008
【図７】
2011215987.tif 000009
【図８】
2011215987.tif 000010